(57)【要約】  ３ＤＴＶ放送送信装置は、付加映像を符号化して基本階層データを生成し、基準映像と前記基本階層ストリームから復号された映像との間の相関映像を符号化して向上階層データを生成し、前記基本階層データと前記向上階層データを伝送する。
2018509823.tif 000002
【特許請求の範囲】
【請求項１】
３ＤＴＶ放送送信装置の放送送信方法であって、
付加映像を符号化して基本階層データを生成する段階と、
基準映像と前記基本階層データから復号された映像との間の相関映像を符号化して向上階層データを生成する段階と、
前記基本階層データと前記向上階層データを伝送する段階とを含む３ＤＴＶ放送送信方法。
【請求項２】
前記基本階層データを生成する段階は、前記付加映像をダウンサンプリングした後、符号化する段階を含み、
前記向上階層データを生成する段階は、前記基本階層ストリームから復号された映像をアップサンプリングした後、前記相関映像を生成する段階を含む、請求項１に記載の３ＤＴＶ放送送信方法。
【請求項３】
前記伝送する段階は、
前記基本階層データと前記向上階層データを少なくとも伝送ストリームに変換する段階と、
前記少なくとも１つの伝送ストリームを伝送する段階とを含む、請求項１に記載の３ＤＴＶ放送送信方法。
【請求項４】
前記少なくとも１つの伝送ストリームを伝送する段階は、
前記基本階層データに相当する伝送ストリームを移動網の移動ＴＶチャンネルで伝送する段階と、
前記向上階層データに相当する伝送ストリームを放送網の固定ＴＶチャンネルで伝送する段階とを含む、請求項３に記載の３ＤＴＶ放送送信方法。
【請求項５】
前記少なくとも１つの伝送ストリームを伝送する段階は、前記少なくとも１つの伝送ストリームを設定された変調方式で変調する段階を含む、請求項３に記載の３ＤＴＶ放送送信方法。
【請求項６】
視点が互いに異なる左映像および右映像のうち、１つの映像を前記基準映像として選定し、他の１つの映像を前記付加映像として選定する段階をさらに含む、請求項１に記載の３ＤＴＶ放送送信方法。
【請求項７】
３ＤＴＶ放送受信装置の放送受信方法であって、
付加映像が符号化された基本階層データを受信する段階と、
基準映像と前記基本階層データから復号された映像との間の相関映像が符号化された向上階層データを受信する段階と、
前記基本階層データを復号化して前記付加映像を取得する段階と、
前記向上階層データを復号化して前記相関映像を取得する段階と、
前記付加映像と前記相関映像を用いて前記基準映像を取得する段階と、
前記付加映像および前記基準映像のうちの少なくとも１つを用いて放送サービスを提供する段階とを含む３ＤＴＶ放送受信方法。
【請求項８】
前記符号化された基本階層データを受信する段階は、第１伝送チャンネルを介して前記符号化された基本階層データを受信する段階を含み、
前記符号化された向上階層データを受信する段階は、第２伝送チャンネルを介して前記符号化された向上階層データを受信する段階を含む、請求項７に記載の３ＤＴＶ放送受信方法。
【請求項９】
前記提供する段階は、前記付加映像および前記基準映像を合成して３Ｄ映像を提供する段階を含む、請求項７に記載の３ＤＴＶ放送受信方法。
【請求項１０】
前記提供する段階は、前記付加映像または前記基準映像を用いて２Ｄ映像を提供する段階を含む、請求項７に記載の３ＤＴＶ放送受信方法。
【請求項１１】
視点が互いに異なる左映像および右映像のうち、１つの映像が前記基準映像であり、他の１つの映像が前記付加映像である、請求項７に記載の３ＤＴＶ放送受信方法。
【請求項１２】
３ＤＴＶ放送送信装置であって、
付加映像を符号化して基本階層データを生成し、基準映像と前記基本階層データから復号された映像との間の相関映像を符号化して向上階層データを生成する階層的符号化器と、
前記基本階層データと前記向上階層データを少なくとも１つの伝送ストリームに変換して伝送する伝送部とを含む３ＤＴＶ放送送信装置。
【請求項１３】
前記基本階層データと前記向上階層データを多重化して前記伝送部に伝達する多重化器をさらに含む、請求項１２に記載の３ＤＴＶ放送送信装置。
【請求項１４】
前記付加映像をダウンサンプリングして前記階層的符号化器に伝達するダウンサンプリング変換部をさらに含み、
前記階層的符号化器は、前記基本階層ストリームから復号された映像をアップサンプリングした後、前記相関映像を生成する、請求項１２に記載の３ＤＴＶ放送送信装置。
【請求項１５】
前記伝送部は、前記基本階層データと前記向上階層データをそれぞれ異なる伝送ストリームに変換する、請求項１２に記載の３ＤＴＶ放送送信装置。
【請求項１６】
前記伝送部は、前記基本階層データに相当する伝送ストリームを移動網の移動ＴＶチャンネルで伝送し、前記向上階層データに相当する伝送ストリームを放送網の固定ＴＶチャンネルで伝送する、請求項１５に記載の３ＤＴＶ放送送信装置。
【請求項１７】
視点が互いに異なる左映像および右映像のうち、１つの映像を前記基準映像として選定し、他の１つの映像を前記付加映像として選定する映像選定部をさらに含む、請求項１５に記載の３ＤＴＶ放送送信装置。
【請求項１８】
３ＤＴＶ放送受信装置であって、
付加映像を符号化した基本階層データと、基準映像と前記基本階層データから復号された映像との間の相関映像を符号化した向上階層データとを受信する受信部と、
前記基本階層データおよび前記向上階層データのうちの少なくとも１つを復号化する階層的復号化器と、
前記階層的復号化器を介して取得された少なくとも１つの映像を用いて放送サービスを提供する再生部とを含む３ＤＴＶ放送受信装置。
【請求項１９】
前記階層的復号化器は、前記基本階層データを復号化して前記付加映像を取得し、前記向上階層データを復号化して前記相関映像を取得し、前記付加映像と前記相関映像を用いて基準映像を取得する、請求項１８に記載の３ＤＴＶ放送受信装置。
【請求項２０】
前記再生部は、前記付加映像および前記基準映像を合成して３Ｄ映像を提供したり、前記付加映像または前記基準映像を用いて２Ｄ映像を提供する、請求項１９に記載の３ＤＴＶ放送受信装置。
【発明の詳細な説明】
【技術分野】
【０００１】
本発明は、３ＤＴＶ放送送受信装置に関し、特に、階層的ビデオ符号化器を用いるイン−バンド移動放送システムで既存の受信端の階層的ビデオ復号化器と互換性を維持すると同時に、付加映像に対する追加データなしに３ＤＴＶサービスを提供できる３ＤＴＶ放送送受信装置に関する。
【背景技術】
【０００２】
階層的映像符号化は、多様なネットワークおよびユーザ環境に合わせてマルチメディアコンテンツを提供するために開発された符号化方式である。階層的映像符号化は、１つのビットストリームで多様な解像度、画質およびフレーム率などを支援するために映像情報を階層的な方式で符号化し、受信端末では受信条件に応じてビットストリームの一部または全部を選択的に抽出して、ユーザ環境に合った映像情報のみを復号化して用いることができる。
【０００３】
このような階層的映像符号化方式を放送／通信サービスに適用する時、階層的２Ｄサービスを提供するために、低解像度および高解像度の同一視点映像データを基本階層（Ｂａｓｅ  Ｌａｙｅｒ）と向上階層（Ｅｎｈａｎｃｅｍｅｎｔ  Ｌａｙｅｒ）に分離し、これら２つの階層データを放送網または通信網を介して伝送して、受信環境に応じて視聴者に階層的映像画質基盤の放送および通信映像サービスを提供するのが一般的である。
【０００４】
一方、既存の固定および移動放送融合型３ＤＴＶ方式は、基準映像と付加映像をそれぞれ独立に符号化して同時に放送するサイマルキャスト（ｓｉｍｕｌｃａｓｔ）基盤の放送環境でより効率的な方式である。この方式は、イン−バンド（ｉｎ−ｂａｎｄ）移動放送システムで固定および移動放送チャンネルにそれぞれ基準映像と付加映像を伝送することによって、追加的な帯域幅の割当てなしに既存の２Ｄ放送サービスとの逆互換性を満足しながら、３ＤＴＶサービスを同時に提供することができる。
【０００５】
しかし、既存の固定および移動放送融合型３ＤＴＶ方式は、基準映像と異なる視点（ｐｏｉｎｔ  ｏｆ  ｖｉｅｗ）に相当する付加映像が全て伝送されるサイマルキャスト放送システムでのみ利用可能である。したがって、階層的映像符号化基盤のイン−バンド移動放送サービス環境では、基準映像とは異なる視点に相当する付加映像に対する追加データの伝送なしに３ＤＴＶサービスの提供が不可能である。つまり、同一視点データを階層的に伝送する階層的映像符号化方式は、放送および通信映像サービス環境で２Ｄサービスを提供するのには効率的であるが、基準映像と付加映像のような互いに異なる視点の映像が要求される融合型３ＤＴＶサービスの提供は不可能である。
【発明の概要】
【発明が解決しようとする課題】
【０００６】
本発明が解決しようとする課題は、階層的符号化器を用いるイン−バンド移動放送システムで受信装置の階層的復号化器と互換性を維持すると同時に、付加映像（または基準映像）に対する追加データなしに融合型３ＤＴＶのような両眼式３ＤＴＶサービスを提供できる３ＤＴＶ放送送受信装置および方法を提供することである。
【課題を解決するための手段】
【０００７】
本発明の一実施例によれば、３ＤＴＶ放送送信装置の放送送信方法が提供される。３ＤＴＶ放送送信方法は、付加映像を符号化して基本階層データを生成する段階と、基準映像と前記基本階層ストリームから復号された映像との間の相関映像を符号化して向上階層データを生成する段階と、前記基本階層データと前記向上階層データを伝送する段階とを含む。
【０００８】
前記基本階層データを生成する段階は、前記付加映像をダウンサンプリングした後、符号化する段階を含み、前記向上階層データを生成する段階は、前記基本階層ストリームから復号された映像をアップサンプリングした後、前記相関映像を生成する段階を含んでもよい。
【０００９】
前記伝送する段階は、前記基本階層データと前記向上階層データを少なくとも伝送ストリームに変換する段階と、前記少なくとも１つの伝送ストリームを伝送する段階とを含んでもよい。
【００１０】
前記少なくとも１つの伝送ストリームを伝送する段階は、前記基本階層データに相当する伝送ストリームを移動網の移動ＴＶチャンネルで伝送する段階と、前記向上階層データに相当する伝送ストリームを放送網の固定ＴＶチャンネルで伝送する段階とを含んでもよい。
【００１１】
前記少なくとも１つの伝送ストリームを伝送する段階は、前記少なくとも１つの伝送ストリームを設定された変調方式で変調する段階を含んでもよい。
【００１２】
前記３ＤＴＶ放送送信方法は、視点が互いに異なる左映像および右映像のうち、１つの映像を前記基準映像として選定し、他の１つの映像を前記付加映像として選定する段階をさらに含んでもよい。
【００１３】
本発明の他の実施例によれば、３ＤＴＶ放送受信装置の放送受信方法が提供される。３ＤＴＶ放送受信方法は、付加映像が符号化された基本階層データを受信する段階と、基準映像と前記基本階層データから復号された映像との間の相関映像が符号化された向上階層データを受信する段階と、前記基本階層データを復号化して前記付加映像を取得する段階と、前記向上階層データを復号化して前記相関映像を取得する段階と、前記付加映像と前記相関映像を用いて前記基準映像を取得する段階と、前記付加映像および前記基準映像のうちの少なくとも１つを用いて放送サービスを提供する段階とを含む。
【００１４】
前記符号化された基本階層データを受信する段階は、第１伝送チャンネルを介して前記符号化された基本階層データを受信する段階を含み、前記符号化された向上階層データを受信する段階は、第２伝送チャンネルを介して前記符号化された向上階層データを受信する段階を含んでもよい。
【００１５】
前記提供する段階は、前記付加映像および前記基準映像を合成して３Ｄ映像を提供する段階を含んでもよい。
【００１６】
前記提供する段階は、前記付加映像または前記基準映像を用いて２Ｄ映像を提供する段階を含んでもよい。
【００１７】
視点が互いに異なる左映像および右映像のうち、１つの映像が前記基準映像であり、他の１つの映像が前記付加映像であってもよい。
【００１８】
本発明のさらに他の実施例によれば、３ＤＴＶ放送送信装置が提供される。３ＤＴＶ放送送信装置は、階層的符号化器と、伝送部とを含む。前記階層的符号化器は、付加映像を符号化して基本階層データを生成し、基準映像と前記基本階層ストリームから復号された映像との間の相関映像を符号化して向上階層データを生成する。そして、前記伝送部は、前記基本階層データと前記向上階層データを少なくとも１つの伝送ストリームに変換して伝送する。
【００１９】
前記３ＤＴＶ放送送信装置は、前記基本階層データと前記向上階層データを多重化して前記伝送部に伝達する多重化器をさらに含んでもよい。
【００２０】
前記３ＤＴＶ放送送信装置は、前記付加映像をダウンサンプリングして前記階層的符号化器に伝達するダウンサンプリング変換部をさらに含んでもよいし、前記階層的符号化器は、前記基本階層ストリームから復号された映像をアップサンプリングした後、前記相関映像を生成することができる。
【００２１】
前記伝送部は、前記基本階層データと前記向上階層データをそれぞれ異なる伝送ストリームに変換することができる。
【００２２】
前記伝送部は、前記基本階層データに相当する伝送ストリームを移動網の移動ＴＶチャンネルで伝送し、前記向上階層データに相当する伝送ストリームを放送網の固定ＴＶチャンネルで伝送することができる。
【００２３】
前記３ＤＴＶ放送送信装置は、前記視点が互いに異なる左映像および右映像のうち、１つの映像を前記基準映像として選定し、前記他の１つの映像を前記付加映像として選定する映像選定部をさらに含んでもよい。
【００２４】
本発明のさらに他の実施例によれば、３ＤＴＶ放送受信装置が提供される。３ＤＴＶ放送受信装置は、受信部と、階層的復号化器と、再生部とを含む。前記受信部は、付加映像を符号化した基本階層データと、基準映像と前記基本階層データから復号された映像との間の相関映像を符号化した向上階層データとを受信する。前記階層的復号化器は、前記基本階層データおよび前記向上階層データのうちの少なくとも１つを復号化する。そして、前記再生部は、前記階層的復号化器を介して取得された少なくとも１つの映像を用いて放送サービスを提供する。
【００２５】
前記階層的復号化器は、前記基本階層データを復号化して前記付加映像を取得し、前記向上階層データを復号化して前記相関映像を取得し、前記付加映像と前記相関映像を用いて基準映像を取得することができる。
【００２６】
前記再生部は、前記付加映像および前記基準映像を合成して３Ｄ映像を提供したり、前記付加映像または前記基準映像を用いて２Ｄ映像を提供することができる。
【発明の効果】
【００２７】
本発明の実施例によれば、階層的符号化器に適用された放送サービス環境で融合型３ＤＴＶサービスに必要な３Ｄコンテンツを効率的に生成および伝送可能なため、２Ｄサービスの伝送のみが可能であった既存の方式よりも幅広い放送サービスを提供することができる。また、放送会社のサービスモデルに応じて多様な解像度の組合わせで３Ｄサービスを支援することができる。
【００２８】
さらに、本発明の実施例による３Ｄ映像合成方式は、単に融合型３ＤＴＶ放送環境だけでなく、全ての放送／通信媒体、ＤＶＤ／ブルーレイディスク（Ｂｌｕ−ｒａｙ（登録商標）  Ｄｉｓｃ）のような映像保存媒体およびファイルを介したサービス環境など階層的ビデオ符号化／復号化方式が適用されるあらゆる分野に応用可能である。
【図面の簡単な説明】
【００２９】
【図１】本発明の実施例による３ＤＴＶ放送送信装置を示す図である。
【図２】本発明の実施例による３ＤＴＶ放送送信方法を示す図である。
【図３】本発明の実施例による３ＤＴＶ放送受信装置を示す図である。
【図４】本発明の実施例による３ＤＴＶ放送受信方法を示す図である。
【図５】本発明の実施例による３ＤＴＶ放送サービスの概念を示す図である。
【発明を実施するための形態】
【００３０】
以下、添付した図面を参照して、本発明の実施例について本発明の属する技術分野における通常の知識を有する者が容易に実施できるように詳細に説明する。しかし、本発明は種々の異なる形態で実現可能であり、ここで説明する実施例に限定されない。そして、図面で本発明を明確に説明するために説明上不必要な部分は省略し、明細書全体にわたって類似の部分については類似の図面符号を付した。
【００３１】
明細書および請求の範囲全体において、ある部分がある構成要素を「含む」とする時、これは、特に反対の記載がない限り、他の構成要素を除くのではなく、他の構成要素をさらに包含できることを意味する。
【００３２】
以下、本発明の実施例による放送送受信装置および方法について、図面を参照して詳細に説明する。
【００３３】
図１は、本発明の実施例による３ＤＴＶ放送送信装置を示す図であり、図２は、本発明の実施例による３ＤＴＶ放送送信方法を示すフローチャートである。
【００３４】
図１に示された３ＤＴＶ放送送信装置１００によって送信されるコンテンツは、映像、動画、テキストなどになってもよく、特に、映像のうち、３次元（ｔｈｒｅｅ−ｄｉｍｅｎｓｉｏｎａｌ、３Ｄ）映像は、視点が異なる左映像および右映像を含んでもよい。左映像および右映像のうち、１つは基準（ｂａｓｅ）映像として用いられ、他の１つは付加（ａｄｄｉｔｉｏｎａｌ）映像として用いられる。付加映像は、基準映像と対をなして１つの３Ｄ映像を構成するために用いられる映像を意味することができる。
【００３５】
図１を参照すれば、３ＤＴＶ放送送信装置１００は、映像選定部１１０と、ダウンサンプリング（ｄｏｗｎ−ｓａｍｐｌｉｎｇ）変換部１２０と、階層的符号化器（ｓｃａｌａｂｌｅ  ｃｏｄｅｒ）１３０と、多重化器１４０と、伝送部１５０とを含む。
【００３６】
図２をみると、映像選定部１１０は、付加映像と基準映像を選定する（Ｓ２１０）。映像選定部１１０は、左映像および右映像のうち、１つの映像を付加映像として選定し、付加映像をダウンサンプリング変換部１２０に伝達し、他の１つの映像を基準映像として選定し、基準映像を階層的符号化器１３０に伝達する。例えば、左映像が基準映像として選定され、右映像が付加映像として選定される。これとは異なり、右映像が基準映像として選定され、左映像が付加映像として選定されてもよい。
【００３７】
ダウンサンプリング変換部１２０は、付加映像をダウンサンプリングして階層的符号化器１３０に伝達する（Ｓ２２０）。左映像と右映像は、ＵＨＤ（Ｕｌｔｒａ  Ｈｉｇｈ−ｄｅｆｉｎｉｔｉｏｎ）解像度の映像であってもよいし、付加映像は、ＨＤ解像度でダウンサンプリングされる。
【００３８】
階層的符号化器１３０は、ダウンサンプリングされた付加映像と基準映像を変形した階層的符号化方式で符号化して、基本階層データと向上階層データを生成する。ここで、変形した階層的符号化方式は、ＳＨＶＣ（Ｓｃａｌａｂｌｅ  Ｈｉｇｈ  Ｅｆｆｉｃｉｅｎｃｙ  Ｖｉｄｅｏ  Ｃｏｄｉｎｇ）の変形した方式を意味することができる。つまり、階層的符号化器１３０は、ダウンサンプリングされた付加映像を符号化して基本階層データを生成し（Ｓ２３０）、基本階層データから復号可能な映像（つまり、付加映像）と基準映像との間の相関映像を符号化して向上階層データを生成する（Ｓ２４０）。ここで、相関映像は、基本階層データから復号可能な映像（つまり、付加映像）と基準映像を用いて生成される映像を意味する。例えば、相関映像は、基本階層データから復号可能な映像（つまり、付加映像）と基準映像との間の異なる情報に相当する差分映像であってもよい。この時、付加映像は、ダウンサンプリング変換部１２０によってダウンサンプリングされて階層的符号化器１３０に入力されるので、基準映像とダウンサンプリングされた付加映像との間の解像度の差が発生する。したがって、階層的符号化器１３０は、基準映像とダウンサンプリングされた付加映像との間の解像度の差を補正するために、基本階層データから復号可能な映像を再びアップサンプリングした後、アップサンプリングした映像と基準映像との間の差分映像を圧縮して向上階層データを生成する。
【００３９】
一般に、ＳＨＶＣ方式は、１つの映像（２Ｄ映像）を用いて基本階層データと向上階層データを生成する。反面、本発明の実施例による変形した階層的符号化方式は、互いに異なる映像つまり、付加映像と基準映像を用いて基本階層データと向上階層データを生成する。
【００４０】
このように、変形した階層的符号化方式を用いることによって、３ＤＴＶ放送送信装置１００で基準映像を直接伝送しなくても、３ＤＴＶ放送受信装置で基本階層データと向上階層データを用いて基準映像を取得することができる。
【００４１】
このような階層的符号化器１３０は、向上階層データを生成するために基準映像を用いることを除けば、ＳＨＶＣ方式と同一であるので、階層的符号化器１３０の細部的なハードウェア構造に関する説明は省略する。
【００４２】
多重化器１４０は、基本階層データと向上階層データを多重化する（Ｓ２５０）。
【００４３】
伝送部１５０は、多重化された基本階層データと向上階層データを伝送する（Ｓ２６０）。伝送部１５０は、基本階層データと向上階層データを少なくとも１つの伝送ストリームに変換し、変換された少なくとも１つの伝送ストリームを伝送する。ここで、伝送ストリームは、物理階層パイプ（ｐｈｙｓｉｃａｌ  ｌａｙｅｒ  ｐｉｐｅ、ＰＬＰ）ストリームと呼ばれることもあり、伝送される網の種類によって、これとは異なる用語で使われることもある。例えば、基本階層データと向上階層データがそれぞれ異なる伝送ストリームに変換された場合、基本階層データに相当する伝送ストリームは移動網の移動ＴＶチャンネルで伝送され、向上階層データに相当する伝送ストリームは放送網の固定ＴＶチャンネルで伝送される。これとは異なり、基本階層データと向上階層データが１つの伝送ストリームに変換された場合、同一の網で伝送される。伝送部１５０は、変換された少なくとも１つの伝送ストリームを定められた変調方式で変調して伝送することができる。伝送部１５０は、基本階層データと向上階層データがそれぞれ異なる伝送ストリームに変換された場合、各伝送ストリームを互いに異なる変調方式で変調することができる。例えば、基本階層データに相当する伝送ストリームは相対的に受信性能に優れたＱＰＳＫまたは１６−ＱＡＭ方式で変調され、向上階層データに相当する伝送ストリームは伝送効率の高い２５６−ＱＡＭ方式で変調される。
【００４４】
図３は、本発明の実施例による３ＤＴＶ放送受信装置を示す図であり、図４は、本発明の実施例による３ＤＴＶ放送受信方法を示すフローチャートである。
【００４５】
図３を参照すれば、３ＤＴＶ放送受信装置３００は、受信部３１０と、逆多重化器３２０と、階層的復号化器３３０と、再生部３４０とを含む。
【００４６】
図４をみると、受信部３１０は、３ＤＴＶ放送送信装置１００から伝送された少なくとも１つの伝送ストリームを受信し（Ｓ４１０）、受信した少なくとも１つの伝送ストリームを復調して逆多重化器３２０に伝達する。
【００４７】
逆多重化器３２０は、３ＤＴＶ放送送信装置１００によって多重化された基本階層データと向上階層データを逆多重化して、基本階層データと向上階層データに分離する（Ｓ４２０）。
【００４８】
階層的復号化器３３０は、基本階層データを復号化して付加映像のみを取得したり、基本階層データと向上階層データを階層的復号化して基準映像を取得する（Ｓ４３０）。階層的復号化器３３０は、基本階層データと向上階層データを階層的復号化方式で復号化して付加映像と相関映像をそれぞれ取得し、取得された付加映像と相関映像を用いて基準映像を生成することができる。相関映像としては、先に説明した差分映像が用いられる。階層的復号化方式は、ＳＨＶＣ復号化方式やＨＥＶＣ復号化方式を含んでもよい。ＨＥＶＣ復号化方式を用いる階層的復号化器３３０は、基本階層データのみを復号化することができる。
【００４９】
再生部３４０は、取得された付加映像のみを用いて２Ｄ映像を出力したり、取得された付加映像と取得された基準映像を用いて３Ｄ映像を出力することができる（Ｓ４４０）。
【００５０】
例えば、３ＤＴＶ放送受信装置３００が移動受信機の場合、移動受信機は、移動網の移動ＴＶチャンネルで伝送された基本階層データから付加映像を取得し、付加映像から移動２Ｄサービスを提供することができる。このように、３ＤＴＶ放送受信装置３００が移動受信機の場合、基本階層データのみを受信して復号化すればよいので、階層的復号化器３３０の代わりに、基本階層データを復号化可能な他の復号化器が用いられてもよい。
【００５１】
これとは異なり、３ＤＴＶ放送受信装置３００が固定受信機の場合、固定受信機は、移動網の移動ＴＶチャンネルで伝送された基本階層データから付加映像を取得し、固定網の固定ＴＶチャンネルで伝送された向上階層データを用いて相関映像を取得した後、取得された付加映像と相関映像を用いて基準映像を取得する。そして、固定受信機は、付加映像と基準映像とを合成して３Ｄサービスを提供することができる。
【００５２】
この時、付加映像と基準映像との合成時、それらの同期化のために、基準映像の再生時間、付加映像の再生時間、および基準映像の再生時間と付加映像の再生時間との間の誤差情報を含むシグナリング情報が別途に伝送される。
【００５３】
図５は、本発明の実施例による３ＤＴＶ放送サービスの概念を示す図である。
【００５４】
図５を参照すれば、３ＤＴＶ放送送信装置１００によって付加映像の基本階層データが生成され、付加映像と基準映像との間の相関映像に相当する向上階層データが生成される。基本階層データと向上階層データがそれぞれ移動網の移動ＴＶチャンネルと固定網の固定ＴＶチャンネルで伝送される。
【００５５】
すると、移動受信機に相当する３ＤＴＶ放送受信装置３００は基本階層データのみを受信できるため、基本階層データから付加映像を取得して移動ＨＤ２Ｄ映像を提供する。
【００５６】
一方、固定受信機に相当する３ＤＴＶ放送受信装置３００は、基本階層データと向上階層データを全て受信することができる。したがって、固定受信機に相当する３ＤＴＶ放送受信装置３００は、基本階層データから付加映像を取得し、向上階層データから相関映像を取得した後、付加映像と相関映像を用いて基準映像を取得することができる。この時、３ＤＴＶ放送受信装置３００は、ユーザの選択によって基準映像のみを用いてＵＨＤ２Ｄ映像を提供することができ、付加映像と基準映像を全て用いてＵＨＤ３Ｄ映像を提供することができる。
【００５７】
このように、本発明の実施例によれば、３ＤＴＶ放送送信装置１００で基準映像を直接伝送しなくても、３ＤＴＶ放送受信装置３００で３Ｄサービスの提供が可能になる。
【００５８】
発明の実施例は、以上で説明した装置および／または方法によってのみ実現されるものではなく、本発明の実施例の構成に対応する機能を実現するプログラムまたはそのプログラムが記録された記録媒体によって実現されてもよいし、このような実現は先に説明した実施例の記載から本発明の属する技術分野の専門家であれば容易に実現できるのである。
【００５９】
以上、本発明の実施例について詳細に説明したが、本発明の権利範囲はこれに限定されるものではなく、次の請求の範囲で定義している本発明の基本概念を利用した当業者の様々な変形および改良形態も本発明の権利範囲に属する。
【図１】
2018509823.tif 000003
【図２】
2018509823.tif 000004
【図３】
2018509823.tif 000005
【図４】
2018509823.tif 000006
【図５】
2018509823.tif 000007
【国際調査報告】
2018509823.tif 000008
2018509823.tif 000009
2018509823.tif 000010
2018509823.tif 000011